(57)【要約】【課題】簡易な構成によって信号伝送媒体Ｆを良好に保持することができるとともに、アクチュエータ１３との嵌合状態を容易に視認することを可能とする。【解決手段】信号伝送媒体（ＦＰＣ又はＦＦＣ）Ｆの抜止め係止孔（抜止め係止手段）Ｆ１を、当該信号伝送媒体Ｆの端末部分から挿入方向に延出する嵌合延長部材Ｆ２に設け、例えば嵌合延長部材Ｆ２を本体ハウジング１１よりも外方の位置まで延出させることなどによって抜止め係止孔Ｆ１と抜止め係合カム（抜止め係合手段）１４との嵌合状態を直ちに確認することを可能としているとともに、信号伝送媒体Ｆの抜止め係止孔Ｆ１をアクチュエータ１３側に近接するように延ばすことによりアクチュエータ１３の抜止め係合カム１４を短縮化してコネクタ全体の小型化を図るように構成したものである。【選択図】図２
2010287352.tif 000002
【特許請求の範囲】
【請求項１】
信号伝送媒体の端末部分を本体ハウジングの内部に挿入してからアクチュエータを移動操作するものであって、
前記アクチュエータの移動操作で、当該アクチュエータに設けられた抜止め係合手段を前記信号伝送媒体に設けられた抜止め係止手段に嵌合させることにより、前記信号伝送媒体の抜け止めを行うように構成された電気コネクタにおいて、
前記信号伝送媒体の抜止め係止手段が、前記信号伝送媒体の端末部分の先端縁部から当該信号伝送媒体の挿入方向に延出するように設けられた嵌合延長部材に形成されていることにより、前記信号伝送媒体の抜止め係止手段と前記アクチュエータの抜止め係合手段との嵌合状態が、前記本体ハウジングに対して目視可能な位置に配置されるように構成されていることを特徴とする電気コネクタ。
【請求項２】
前記アクチュエータの抜止め係合手段には、前記信号伝送媒体が最終挿入位置よりも手前側まで挿入されたときに前記抜止め係止手段に予嵌合する嵌合誘導手段が設けられ、
前記アクチュエータの移動時に、前記嵌合誘導手段が前記信号伝送媒体を最終挿入位置に向かって押圧するように構成されていることを特徴とする請求項１記載の電気コネクタ。
【請求項３】
前記嵌合誘導手段は、前記信号伝送媒体の嵌合延長部材の表面に対して滑動可能に接触する嵌合誘導面と、その嵌合誘導面から突出して前記信号伝送媒体の抜止め係止手段に予嵌合する嵌合誘導突部と、を有していることを特徴とする請求項２記載の電気コネクタ。
【請求項４】
前記嵌合誘導突部は、前記信号伝送媒体の抜止め係止手段に嵌合したときに前記信号伝送媒体に弾性変位を生じさせて嵌合のクリック感を付与するように構成されていることを特徴とする請求項３記載の電気コネクタ。
【請求項５】
前記信号伝送媒体の嵌合延長部材は、前記挿入方向に直交する幅方向の両端部分又は一端部分に設けられていることを特徴とする請求項１記載の電気コネクタ。
【請求項６】
前記信号伝送媒体の抜止め係止手段は、当該信号伝送媒体に設けられた接点用導電路よりも前記挿入方向の前方側に設けられていることを特徴とする請求項１記載の電気コネクタ。
【請求項７】
前記信号伝送媒体の抜止め係止手段は、当該信号伝送媒体が少なくとも前記最終挿入位置まで挿入されたときに前記本体ハウジングから前記挿入方向の外方に突出して目視可能となるように配置されていることを特徴とする請求項１記載の電気コネクタ。
【請求項８】
前記アクチュエータが、適宜の回動中心の回りに回動される構成になされているとともに、
前記嵌合誘導突部は、前記アクチュエータが前記抜止め係合手段を前記信号伝送媒体の抜止め係止手段に嵌合させる作用位置まで回動されたときに、上方に立ち上げられるように配置されていることを特徴とする請求項３記載の電気コネクタ。
【発明の詳細な説明】
【技術分野】
【０００１】
本発明は、本体ハウジングの内部に挿入された信号伝送媒体をアクチュエータの移動操作により固定又は開放するように構成された電気コネクタに関する。
【背景技術】
【０００２】
一般に、種々の電気機器等において、フレキシブル・プリンテッド・サーキット（ＦＰＣ）用配線板や、フレキシブル・フラット・ケーブル（ＦＦＣ）等の各種信号伝送媒体を電気的に接続するために電気コネクタが広く用いられている。例えば、下記の特許文献１及び２に記載されている電気コネクタでは、ＦＰＣやＦＦＣ等からなる信号伝送媒体が、本体ハウジング（インシュレータ）の前端部分に設けられた挿入口から内部に向かって挿入され、その後に、媒体固定操作手段としてのアクチュエータが閉塞位置に向かって倒されるように回動操作される。
【０００３】
媒体固定操作手段として設けられたアクチュエータは、本体ハウジングの挿入口側又はそれと反対側の後端部分に往復移動自在に設けられており、例えば本体ハウジングから立ち上げられた待機位置から前方側又は後方側に押し倒されるようにして作用位置まで回動操作されるようになっている。そして、作用位置まで回動操作されたときのアクチュエータの押圧力によって、本体ハウジング内に配置されている導電コンタクトの可動ビームが信号伝送媒体（ＦＰＣ，ＦＦＣ）に圧接するまで弾性的に変位され、その弾性変位した導電コンタクトの挟持作用によって信号伝送媒体の固定が行われる構成になされている。
【０００４】
このとき、特に特許文献２に開示された中継コネクタでは、アクチュエータの下端部からアーム状をなすようにして下方に延出する抜止め係合手段（ロック部）が設けられているとともに、本体ハウジング内に挿入された信号伝送媒体（ＦＰＣ，ＦＦＣ）の端末先端部分に、幅方向両側に延出する抜止め係止手段（耳部）が設けられており、その信号伝送媒体の抜止め係止手段（耳部）に、上述したアクチュエータ側の抜止め係合手段を嵌合させて信号伝送媒体の抜け止めを行うようにしている。
【先行技術文献】
【特許文献】
【０００５】
【特許文献１】特開２００４−２２１０６７号公報
【特許文献２】特開２００７−２６５８２８号公報
【発明の概要】
【発明が解決しようとする課題】
【０００６】
ところが、このようなアクチュエータを備えた従来の電気コネクタにおいては、信号伝送媒体（ＦＰＣ，ＦＦＣ）の抜止め係止手段に対して、アクチュエータ側の抜止め係合手段が十分に嵌合されずに、いわゆる半嵌合状態のままになってしまうおそれがあることから、信号伝送媒体の保持力に対する信頼性の向上が要請されている。
【０００７】
また、従来の電気コネクタでは、上述した信号伝送媒体の抜止め係止手段と、アクチュエータ側の抜止め係合手段との嵌合部分が、本体ハウジングの内部に隠れているため、両者の嵌合状態を直ちに確認することが困難であるという問題もある。本体ハウジングに確認用貫通孔を設けることも行われているが、成形金型の構造や形成の工程が複雑化するとともに、確認の容易性については依然として改善の余地がある。
【０００８】
そこで本発明は、簡易な構成によって信号伝送媒体を良好に保持することができるとともに、アクチュエータとの嵌合状態を容易に視認することができるようにした電気コネクタを提供することを目的とする。
【課題を解決するための手段】
【０００９】
上記目的を達成するため本発明では、信号伝送媒体の端末部分を本体ハウジングの内部に挿入してからアクチュエータを移動操作するものであって、前記アクチュエータの移動操作で、当該アクチュエータに設けられた抜止め係合手段を前記信号伝送媒体に設けられた抜止め係止手段に嵌合させることにより、前記信号伝送媒体の抜け止めを行うように構成された電気コネクタにおいて、前記信号伝送媒体の抜止め係止手段が、前記信号伝送媒体の端末部分の先端縁部から当該信号伝送媒体の挿入方向に延出するように設けられた嵌合延長部材に形成されていることにより、前記信号伝送媒体の抜止め係止手段と前記アクチュエータの抜止め係合手段との嵌合状態が、前記本体ハウジングに対して目視可能な位置に配置されるように構成されている。
【００１０】
このような構成を有する本発明によれば、信号伝送媒体の抜止め係止手段を、当該信号伝送媒体の端末部分から挿入方向に延出する嵌合延長部材に設けているため、例えば本体ハウジングよりも外方の位置まで嵌合延長部材を延出させることなどによって、抜止め係止手段と抜止め係合手段との嵌合状態を直ちに目視することが可能となる。また、抜止め係止手段を有する嵌合延長部材がアクチュエータ側に延びて近接しているため、アクチュエータ側の抜止め係合手段を信号伝送媒体側に延ばす必要が無くなり、その抜止め係合手段を短縮化した分だけ、コネクタ全体の小型化が図られるようになっている。
【００１１】
また、本発明におけるアクチュエータの抜止め係合手段には、前記信号伝送媒体が最終挿入位置よりも手前側まで挿入されたときに前記抜止め係止手段に予嵌合する嵌合誘導手段が設けられ、前記アクチュエータの移動時に、前記嵌合誘導手段が前記信号伝送媒体を最終挿入位置に向かって押圧するように構成されていることが望ましい。
【００１２】
このような構成を有する本発明によれば、信号伝送媒体が最終挿入位置よりも手前側までしか挿入されなかったとしても、アクチュエータの抜止め係合手段に設けられた嵌合誘導手段が、信号伝送媒体の抜止め係止手段に予嵌合することから、アクチュエータの移動に伴って信号伝送媒体が最終挿入位置に向かって移動されることとなり、その後に信号伝送媒体の抜止め係止手段とアクチュエータの抜止め係合手段との最終嵌合が行われることから、従来のような半嵌合状態の発生が良好に防止される。
【００１３】
また、本発明における嵌合誘導手段は、前記信号伝送媒体の嵌合延長部材の表面に対して滑動可能に接触する嵌合誘導面と、その嵌合誘導面から突出して前記信号伝送媒体の抜止め係止手段に予嵌合する嵌合誘導突部と、を有していることが望ましい。
【００１４】
このような構成を有する本発明によれば、信号伝送媒体が最終挿入位置より手前側まで挿入されたときに、アクチュエータの嵌合誘導手段を構成する嵌合誘導突部が信号伝送媒体の抜止め係止手段に予嵌合し、その後に信号伝送媒体の嵌合延長部材が嵌合誘導面上を滑動していくことから、信号伝送媒体の全体が最終挿入位置に向かって円滑に引き込まれていく。
【００１５】
また、本発明における嵌合誘導突部は、前記信号伝送媒体の抜止め係止手段に予嵌合したときに前記信号伝送媒体に弾性変位を生じさせて嵌合のクリック感を付与するように構成されていることが望ましい。
【００１６】
このような構成を有する本発明によれば、信号伝送媒体が最終挿入位置の直前まで挿入されたときに、嵌合誘導突部による嵌合のクリック感が得られることから、信号伝送媒体の挿入状態を感覚的に認識することが可能となり、従来のような半嵌合状態の発生がより確実に防止される。
【００１７】
また、本発明における信号伝送媒体の嵌合延長部材は、前記挿入方向に直交する幅方向の両端部分又は一端部分に設けられていることが望ましい。さらに、本発明における信号伝送媒体の抜止め係止手段は、当該信号伝送媒体に設けられた接点用導電路よりも前記挿入方向の前方側に設けられていることが望ましい。
【００１８】
このような構成を有する本発明によれば、信号伝送媒体の抜止め係止手段とアクチュエータの抜止め係合手段との嵌合が、信号伝送媒体の接点用導電路から離間して行われるため、信号伝送媒体の電気的な接続機能に影響を与えることがない。
【００１９】
また、本発明における信号伝送媒体の抜止め係止手段は、当該信号伝送媒体が少なくとも前記最終挿入位置まで挿入されたときに前記本体ハウジングから前記挿入方向の外方に突出して目視可能となるように配置されていることが望ましい。
【００２０】
このような構成を有する本発明によれば、抜止め係止手段と抜止め係合手段との嵌合が本体ハウジングの後方側外方において行われることとなり、その嵌合状態がより一層確実に確認されるようになっている。
【００２１】
また、本発明におけるアクチュエータが、適宜の回動中心の回りに回動される構成になされているとともに、前記嵌合誘導突部は、前記アクチュエータが前記抜止め係合手段を前記信号伝送媒体の抜止め係止手段に嵌合させる作用位置まで回動されたときに、上方に立ち上げられるように配置されていることが望ましい。
【００２２】
このような構成を有する本発明によれば、アクチュエータが作用位置に向かって回動するに伴い、抜止め係合手段の嵌合誘導突部が上方に立ち上げられた状態となるために、当該嵌合誘導突部が元の状態よりも下方に突出することがなく、その分だけコネクタ全体の低背化が可能となる。
【発明の効果】
【００２３】
以上述べたように本発明にかかる電気コネクタは、信号伝送媒体の抜止め係止手段を、当該信号伝送媒体の端末部分から挿入方向に延出する嵌合延長部材に設け、例えば嵌合延長部材を本体ハウジングよりも外方の位置まで延出させることなどによって抜止め係止手段と抜止め係合手段との嵌合状態を直ちに確認することを可能としているとともに、信号伝送媒体の抜止め係止手段をアクチュエータ側に近接するように延ばすことによりアクチュエータの抜止め係合手段を短縮化してコネクタ全体の小型化を図るように構成したものであるから、簡易な構成によって信号伝送媒体を良好に保持することができるとともに、アクチュエータとの嵌合状態を容易に視認することができ、電気コネクタの信頼性を低廉かつ大幅に向上させることができる。
【図面の簡単な説明】
【００２４】
【図１】本発明の一実施形態にかかる電気コネクタのアクチュエータを待機位置に立ち上げて、信号伝送媒体（ＦＰＣ又はＦＦＣ）を電気コネクタの内部に挿入しようとしている状態の全体構成を正面側から表した外観斜視説明図である。
【図２】図１に示された電気コネクタの平面説明図である。
【図３】図２中の III−III 線に沿った横断面説明図である。
【図４】図１に示された状態から電気コネクタの内部に信号伝送媒体（ＦＰＣ又はＦＦＣ）を最終挿入位置まで挿入した状態を正面側から表した外観斜視説明図である。
【図５】図２に示された状態から電気コネクタの内部に信号伝送媒体（ＦＰＣ又はＦＦＣ）を最終挿入位置まで挿入した状態を表した平面説明図である。
【図６】図４に示された電気コネクタを背面側から表した外観斜視説明図である。
【図７】図６に示された状態からアクチュエータを作用位置に押し倒すようにして回動させた状態を背面側から表した外観斜視説明図である。
【図８】図３に示された状態から電気コネクタの内部に信号伝送媒体（ＦＰＣ又はＦＦＣ）を挿入した後アクチュエータを作用位置に押し倒すようにして回動させた状態を表した横断面説明図である。
【図９】図２中の IX−IX 線に沿った横断面説明図である。
【図１０】図５中の X−X 線に沿った横断面説明図である。
【図１１】図１０に示された状態からアクチュエータを作用位置に押し倒すようにして回動させた状態を表した横断面説明図である。
【図１２】電気コネクタの内部に信号伝送媒体（ＦＰＣ又はＦＦＣ）が不完全状態で挿入された状態を表した平面説明図である。
【図１３】図１２中の XIII−XIII 線に沿った横断面説明図である。
【発明を実施するための形態】
【００２５】
以下、本発明の実施の形態を図面に基づいて詳細に説明する。
【００２６】
まず、図１〜図８に示された本発明の一実施形態にかかる電気コネクタ１０は、印刷配線基板Ｂ上に実装されて使用されるものであって、細長状に延在する中空状の絶縁性部材からなる本体ハウジング（インシュレータ）１１を備えている。この本体ハウジング１１のコネクタ前端側（図３の左端側）の縁部には、フレキシブル・プリンテッド・サーキット（ＦＰＣ）用配線板やフレキシブル・フラット・ケーブル（ＦＦＣ）等からなる信号伝送媒体Ｆが挿入される媒体挿入口１１ａが、横細長の開口形状を有するようにして設けられている。また、その媒体挿入口１１ａとは反対側のコネクタ後端側（図３の右端側）の縁部には、後述する導電コンタクト１２及び媒体固定操作手段としてのアクチュエータ１３等を装着するための部品取付口１１ｂが設けられている。
【００２７】
このとき、前記本体ハウジング１１は、上述したように薄厚状をなす中空状筐体から形成されており、当該本体ハウジング１１の中空内部に、略H字形状を横にした側面形状を有する薄板状金属製部材からなる複数体の導電コンタクト１２が挿入されている。また、この本体ハウジング１１のコネクタ後端側部分（図３の右端側部分）にはアクチュエータ（媒体固定操作手段）１３が回動可能に装着されており、当該アクチュエータ１１が後方側（図３の右方側）に向かって押し倒されるように回動される構成（図８参照）になされている。
【００２８】
また、前記導電コンタクト１２は、本体ハウジング１１の横幅方向（長手方向）に沿って同一形状のものが適宜の間隔をなして多極状に配列されている。これらの各導電コンタクト１２は、信号伝送用又はシールド用のいずれかとして用いられており、後述するように各導電コンタクト１２の一端部分（図３の右端部分）が、印刷配線基板Ｂ（図１参照）上に載置されて使用されるようになっている。
【００２９】
前記導電コンタクト１２の各々は、上述したようにコネクタ後端側に設けられた部品取付口１１ｂから前方側（図３の左方側）に向かって押し込むようにして装着されており、信号伝送媒体（ＦＰＣ又はＦＦＣ）Ｆの表面又は裏面に形成された信号伝送用導電路（信号線）又はシールド用導電路（シールド線）のいずれかに対応した位置に当該導電コンタクト１２のそれぞれが配置されている。これらの各導電コンタクト１２は、信号伝送媒体Ｆの挿入方向（図３の右方向）に沿って延在する一対の細長状ビーム部材からなる可動ビーム１２ａ及び固定ビーム１２ｂをそれぞれ有している。
【００３０】
それらの可動ビーム１２ａ及び固定ビーム１２ｂは、前記本体ハウジング１１の内部空間において図示上下方向に適宜の間隔をなして互いに対向した状態に配置されており、コネクタ前後方向（図３の左右方向）に延在している。そのうちの固定ビーム１２ｂは、前記本体ハウジング１１の底部内壁面に沿って延在するように配置されていて、当該本体ハウジング１１の内部で略不動状態となるように固定されている。
【００３１】
そのような固定ビーム１２ｂには、コネクタ前後延在方向（図３の左右方向）の略中央部分において略鉛直方向（図３の上下方向）に延在する細幅板状の連結支柱部１２ｃが一体的に連結されている。そして、その連結支柱部１２ｃの上端部分には、前記可動ビーム１２ａが一体的に連結されていて、連結支柱部１２ｃ又はその近傍を中心として前記可動ビーム１２ａが回動するように弾性変形することによって、前記固定ビーム１２ｂに対して可動ビーム１２ａが弾性的な可撓性を有する構成になされている。このときの各可動ビーム１２ａの回動は、図３の紙面を含む平面内において行われる構成になされており、当該可動ビーム１２ａの延在方向における両端部分が図示上下方向に弾性変位される構成になされている。
【００３２】
さらに、前記可動ビーム１２ａのコネクタ前端側部分（図３の左端側部分）には、上述した信号伝送媒体（ＦＰＣ又はＦＦＣ）Ｆの図示上面側に形成された信号伝送用又はシールド用の導電路（図示省略）のいずれかに接続される接点部として端子接触凸部１２ａ１が図示下向きの凸形状をなすように設けられている。また、前記固定ビーム１２ｂのコネクタ前端側部分（図３の左端側部分）には、上述した信号伝送媒体（ＦＰＣ又はＦＦＣ）Ｆの図示下面側に形成された信号伝送用又はシールド用の導電路（図示省略）のいずれかに接続される接点部として端子接触凸部１２ｂ１が図示上向きの凸形状をなすように設けられている。この固定ビーム１２ｂに設けられた端子接触凸部１２ｂ１と、前記可動ビーム１２ａに設けられた端子接触凸部１２ａ１とは、上下方向に対面するように配置されており、それら両端子接触凸部１２ａ１，１２ｂ１どうしの間に、前記信号伝送媒体（ＦＰＣ又はＦＦＣ）Ｆが挟持されるようになっている。
【００３３】
なお、上述した両端子接触凸部１２ａ１，１２ｂ１どうしは、互いの位置をコネクタ前方側（図３の左方側）或いはコネクタ後方側（図３の右方側）にずらして配置することも可能であり、また一方の端子接触凸部のみを設けることも可能である。また、本実施形態における固定ビーム１２ｂは、基本的に不動状態となるように固定されているが、信号伝送媒体（ＦＰＣ又はＦＦＣ）Ｆの挿入を容易化する等の目的で、当該固定ビーム１２ｂの前端部分が本体ハウジング１１の底壁面から僅かに浮き上がるように形成して弾性変位可能となるように形成することも可能である。
【００３４】
一方、前記固定ビーム１２ｂのコネクタ後端側部分（図３の右端側部分）には、上述した印刷配線基板Ｂ上に形成された配線導電路（図示省略）に半田接続される基板接続端子部１２ｂ２が形成されていて、この基板接続端子部１２ｂ２を介して信号接続およびグランド接続が行われるようになっている。
【００３５】
また、上述した可動ビーム１２ａのコネクタ後端側部分（図３の右端側部分）には、側面視において上方側に向かって略円弧状に張り出すように形成された被作動部１２ａ２が形成されている。この被作動部１２ａ２の下縁部は、上方側に向かって略円弧状に窪むように形成されており、その被作動部１２ａ２の窪み部分に、前記本体ハウジング１１の後端部分に装着された媒体固定操作手段としてのアクチュエータ１３の押圧カム部１３ａが図示下方側から当接するようにして接触配置されている。
【００３６】
上記アクチュエータ（媒体固定操作手段）１３は、全体が略板状の部材から形成されており、上述した本体ハウジング１１のコネクタ後端部分（図３の右端部分）に、当該本体ハウジング１１の横幅方向（長手方向）に沿って細長状に延在する本体操作板１３ｂを有している。この本体操作板１３ｂの横幅方向（長手方向）の両端部分には、横幅方向（長手方向）の外方に向かって突出する軸部（図示省略）がそれぞれ設けられているとともに、その軸部の軸方向に対向するようにして、前記本体ハウジング１１の横幅方向（長手方向）側端部１１ｃ，１１ｃに金属板状部材１５が設けられている。そして、これらの軸部は、金属板状部材１５により位置規制を夫々受けるものとされており、斯かる位置規制がなされることにより、アクチュエータ１３が本体ハウジング１１から抜け出してしまう事態が防止される。
【００３７】
一方、前記アクチュエータ（媒体固定操作手段）１３の本体操作板１３ｂには、上述した各導電コンタクト１２の間部分に相当する位置に延在する多数の回動アーム部が設けられており、それらの各回動アーム部が前記回動中心１３ｃの近傍位置まで延在した部分に上述した押圧カム部１３ａが配置されている。そして、本体操作板１３ｂに対して組立作業者が適宜の回動操作力を付与することによって、前記押圧カム部１３ａを含むアクチュエータ１３の全体が、回動中心１３ｃの回りに回動される構成になされている。具体的には、当該アクチュエータ１３は、複数の導電コンタクト１２により支持されて、本体ハウジング１１に対して回動可能に配置されていることで、図１〜図３のように上方側に立ち上げられた状態の「待機位置」と、図７及び図８のように後方側に向かって略水平に倒された状態の「作用位置」との間で回動されるようになっている。
【００３８】
このとき、上述したようにアクチュエータ１３が「待機位置」（図１〜図３参照）から「作用位置」（図７及び図８参照）に向かって後方側に押し倒す回動操作が行われる際において、当該アクチュエータ１３の回動中心部分に配置された押圧カム部１３ａの回転半径が、前述した固定ビーム１２ｂと可動ビーム１２ａとの間において増大する方向に変化する構成になされている。そして、その押圧カム部１３ａの径変化に従って、前記可動ビーム１２ａのコネクタ後端側に設けられた被作動部１２ａ２が図示上方側に持ち上げられるように弾性変位し、それに伴って上記被作動部１２ａ２の反対側（コネクタ前端側）に設けられた端子接触凸部１２ａ１が下方に押し下げられていくようになっている。
【００３９】
そして、このような構成のアクチュエータ１３が、まず図１〜図３に示されているように「待機位置」にある状態で、本体ハウジング１１の前方側に信号伝送媒体（ＦＰＣ又はＦＦＣ）Ｆが対面するようにして配置され、その信号伝送媒体Ｆが図４〜図６に示されているように本体ハウジング１１の内部に挿入される。次いで、図７及び図８に示されているようにアクチュエータ１３が本体ハウジング１１の後方側に向かって傾倒されるように回動される。このようにしてアクチュエータ１３が最終の回動位置である「作用位置」の直前まで回動されてきたときに上述した押圧カム部１３ａの回転半径は最大となり、その最大半径位置からさらに微小角度だけ回動した「作用位置」において（図８参照）、前記信号伝送媒体Ｆの表面に形成された信号伝送用及びグランド用の接点用導電路Ｆ３に、上述した端子接触凸部１２ａ１が圧接され、それによって電気的な接続が行われるように構成されている。
【００４０】
さらに、図９及び図１０に示されているように、本実施形態におけるアクチュエータ１３には、その横幅方向（長手方向）の両端部分に抜止め係合手段を構成する抜止め係合カム１４が設けられている。これらの各抜止め係合カム１４は、上述したアクチュエータ１３の回動中心１３ｃから半径方向の外方側に向かって延出するように形成されており、当該アクチュエータ１３が前述した「待機位置」にあるときには、前記信号伝送媒体（ＦＰＣ又はＦＦＣ）Ｆの挿入方向と反対の方向である前方側（図９及び図１０の左方側）に向かって略水平に延在するように設けられている。これに対して、アクチュエータ１３が前述した「作用位置」に回動されたときには（図１１参照）、上述した抜止め係合カム１４はアクチュエータ１３の回動中心１３ｃから上方に向かって立ち上がるように延出する配置関係になされており、そのときに前記信号伝送媒体Ｆに抜止め係止手段として設けられた抜止め係止孔Ｆ１の内部に、前記抜止め係合カム１４が挿通されて嵌合が行われるようになっている。
【００４１】
ここで、前記信号伝送媒体（ＦＰＣ又はＦＦＣ）Ｆの端末部分には、幅方向（図２の左右方向）の両端部分に、一対の嵌合延長部材Ｆ２，Ｆ２が角状をなすようにして一体的に設けられている。すなわち、それらの各嵌合延長部材Ｆ２は、前記信号伝送媒体Ｆの先端縁部から当該信号伝送媒体Ｆの挿入方向（図９の右方向）に向かって延出しており、信号伝送媒体Ｆに設けられた接点用導電路Ｆ３よりも挿入方向の前方側に突出するように設けられている。そして、それらの各嵌合延長部材Ｆ２における延出側（図９の右方側）の先端部分に、上述した抜止め係止手段としての抜止め係止孔Ｆ１が平面略矩形状をなすようにして貫通形成されている。
【００４２】
このように信号伝送媒体（ＦＰＣ又はＦＦＣ）Ｆに設けられた嵌合延長部材Ｆ２は、当該信号伝送媒体Ｆが本体ハウジング１１の内部の最終挿入位置まで挿入されたときに（図１０参照）、上記本体ハウジング１１のコネクタ後端部に設けられた部品取付口１１ｂよりも後方側の外方に突出するように設けられていて、当該信号伝送媒体Ｆが最終挿入位置まで挿入されたときに前記本体ハウジング１１から後方に抜止め係止孔Ｆ１が露出して目視が容易に行われるようになっている。
【００４３】
また、上述したように嵌合延長部材Ｆ２は、アクチュエータ１３に設けられた抜止め係合カム１４側に向かって延出するように設けられているため、当該嵌合延長部材Ｆ２に設けられた抜止め係止孔Ｆ１が、抜止め係合カム１４に近接した位置に配置されており、アクチュエータ１３の回動中心１３ｃの近傍において抜止め係止孔Ｆ１と抜止め係合カム１４との嵌合が行われるようになっている。そして、このような配置関係により、これらの抜止め係止孔Ｆ１と抜止め係合カム１４との嵌合状態が容易に目視される構成になされている。
【００４４】
一方、上述したようにアクチュエータ１３に設けられた抜止め係合カム（抜止め係合手段）１４は、当該アクチュエータ１３が「待機位置」（図１〜図３参照）に立てられた状態に維持されている場合には、前記回動中心１３ｃからコネクタ前方（図９左方）に向かって略水平に延出するように設けられている。そして、その待機状態における抜止め係合カム１４の上面に相当する部分には、略平坦状をなすように形成された嵌合誘導面１４ａが嵌合誘導手段の一部をなすように設けられている。この嵌合誘導面１４ａは、後述するようにアクチュエータ１３の回動力によって信号伝送媒体（ＦＰＣ又はＦＦＣ）Ｆを最終挿入位置に向かって引き込む面形状を備えている。
【００４５】
すなわち、上述した抜止め係合カム（抜止め係合手段）１４に設けられた嵌合誘導面１４ａは、アクチュエータ１３が「待機位置」にある状態で本体ハウジング１１の内部に挿入されてくる信号伝送媒体（ＦＰＣ又はＦＦＣ）Ｆの下面側に対して接触する面構成になされているとともに、当該嵌合誘導面１４ａが前記回動中心１３ｃからコネクタ前方（図９の左方向）に延出する方向の先端部分には、上方に向かって小突起状をなすようにして嵌合誘導突部１４ｂが設けられている。その嵌合誘導突部１４ｂは、本体ハウジング１１の内部に挿入されてきた信号伝送媒体Ｆの下表面に接触した際に、当該信号伝送媒体Ｆを僅かに上方に持ち上げて弾性変位させる構成になされている。
【００４６】
そして、特に図１２及び図１３に特に示されているように、前記信号伝送媒体（ＦＰＣ又はＦＦＣ）Ｆが最終挿入位置に至る前の段階において、当該信号伝送媒体Ｆに設けられた抜止め係止孔Ｆ１は、上述した抜止め係合カム（抜止め係合手段）１４の嵌合誘導突部１４ｂの位置に至ることとなるが、そのときに、前記抜止め係合カム１４の嵌合誘導突部１４ｂは、信号伝送媒体Ｆの抜止め係止孔Ｆ１の開口縁部に沿って、内方側つまり上方側に向かって落ち込む。そして、それと同時に、上述したようにして予め上方に持ち上げられていた信号伝送媒体Ｆの弾性変位状態が復元することとなり、それによって嵌合誘導突部１４ｂが、抜止め係止孔Ｆ１の開口縁部に対して予嵌合される構成になされている。
【００４７】
また、上述したようにして信号伝送媒体（ＦＰＣ又はＦＦＣ）Ｆの抜止め係止孔Ｆ１に嵌合誘導突部１４ｂが予嵌合されたときに信号伝送媒体Ｆに弾性変位を生じさせることから、当該信号伝送媒体Ｆの弾性変位によって嵌合のクリック感が付与されるようになっている。
【００４８】
このようにして信号伝送媒体（ＦＰＣ又はＦＦＣ）Ｆの抜止め係止孔Ｆ１の開口縁部に対して、抜止め係合カム（抜止め係合手段）１４の嵌合誘導突部１４ｂが一旦予嵌合されると、図１２及び図１３に示されているように信号伝送媒体Ｆが最終挿入位置に至る直前で挿入が停止されたとしても、その後にアクチュエータ１３が「作用位置」側に向かって回動操作されたときに、嵌合誘導突部１４ｂが抜止め係止孔Ｆ１の開口縁部に引っ掛かっているため、嵌合誘導突部１４ｂは、抜止め係止孔Ｆ１の開口縁部に前方側から接触して後方側に向かって押圧力を付与することとなる。また、その直後には、水平状態にあった嵌合誘導面１４ａが後方側に立ち上がるように回動されていくため、当該嵌合誘導面１４ａの後方側への押圧力によって、前記信号伝送媒体Ｆの全体は、最終挿入位置に向かって引き込まれるように移動されることとなる。
【００４９】
このようにして信号伝送媒体（ＦＰＣ又はＦＦＣ）Ｆは、アクチュエータ１３の回動操作に従って後方側に引き込まれていくが、そのとき抜止め係合カム１４に設けられた嵌合誘導面１４ａの上に上述した嵌合延長部材Ｆ２の下面が滑動自在に接触され、その嵌合誘導面１４ａに沿って滑るように案内されていくことから、信号伝送媒体Ｆの全体が挿入方向に円滑に移動されていく。そして、アクチュエータ１３が「作用位置」まで回動されたときに、信号伝送媒体Ｆが最終挿入位置まで押し込まれた状態になされる。
【００５０】
このような構成を有する本実施形態によれば、信号伝送媒体（ＦＰＣ又はＦＦＣ）Ｆの抜止め係止孔（抜止め係止手段）Ｆ１を、当該信号伝送媒体Ｆの端末部分から挿入方向に延出する嵌合延長部材Ｆ２に設けていることから、例えば本実施形態のように本体ハウジング１１よりも外方の位置まで嵌合延長部材Ｆ２を延出させることが可能となり、信号伝送媒体（ＦＰＣ又はＦＦＣ）Ｆの抜止め係止孔Ｆ１とアクチュエータ１３の抜止め係合カム１４との嵌合が本体ハウジング１１の後方側外方において行われることから、両者の嵌合状態が直接的に目視されて確実に確認されるようになっている。
【００５１】
また、抜止め係止孔Ｆ１を有する嵌合延長部材Ｆ２がアクチュエータ１３側に近接するように延びているため、アクチュエータ１３側の抜止め係合カム１４を信号伝送媒体Ｆ側に向かって延ばす必要が無くなり、そのように抜止め係合カム１４を短縮化した分だけコネクタ全体の小型化が図られるようになっている。
【００５２】
また、本実施形態によれば、信号伝送媒体（ＦＰＣ又はＦＦＣ）Ｆが最終挿入位置よりも手前側までしか挿入されなかったとしても、アクチュエータ１３の抜止め係合カム１４に嵌合誘導手段として設けられた嵌合誘導突部１４ｂが、信号伝送媒体Ｆの抜止め係止孔Ｆ１に予嵌合し、アクチュエータ１３の回動に伴って信号伝送媒体Ｆが最終挿入位置に向かって移動されることとなる。そして、その後に信号伝送媒体Ｆの抜止め係止孔Ｆ１とアクチュエータ１３の抜止め係合カム１４との最終嵌合が行われることから、従来のような半嵌合状態の発生が良好に防止されるようになっている。
【００５３】
このとき、本実施形態によれば、信号伝送媒体（ＦＰＣ又はＦＦＣ）Ｆが最終挿入位置より手前側まで挿入されたときに、アクチュエータ１３の抜止め係合カム１４の嵌合誘導突部１４ｂが信号伝送媒体Ｆの抜止め係止孔Ｆ１に予嵌合し、その後に信号伝送媒体Ｆの嵌合延長部材Ｆ２が嵌合誘導面１４ａ上を滑動していくことから、信号伝送媒体Ｆの全体が最終挿入位置に向かって円滑に引き込まれていく。
【００５４】
さらにまた、本実施形態においては、信号伝送媒体（ＦＰＣ又はＦＦＣ）Ｆが最終挿入位置の直前まで挿入されたときに、嵌合誘導突部１４ｂによる嵌合のクリック感が得られることから、信号伝送媒体Ｆの挿入状態を感覚的に認識することが可能となり、従来のような半嵌合状態の発生がより確実に防止される。
【００５５】
加えて、本実施形態においては、信号伝送媒体（ＦＰＣ又はＦＦＣ）Ｆの抜止め係止孔Ｆ１とアクチュエータ１３の抜止め係合カム１４との嵌合が、信号伝送媒体Ｆの接点用導電路Ｆ３から離間して行われるため、信号伝送媒体Ｆの電気的な接続機能に影響を与えることがない。
【００５６】
さらに、本実施形態によれば、アクチュエータ１３の回動に伴って、抜止め係合カム１４が略水平の状態と上向きに立ち上げられた状態との間で回動し、アクチュエータ１３が「待機位置」から「作用位置」に向かって回動する際に、抜止め係合カム（抜止め係合手段）１４の嵌合誘導突部１４ｂが上方に立ち上げられた状態となる。そのため、嵌合誘導突部１４ｂを含む抜止め係合カム１４の全体が回動するにあたって、元の状態よりも下方に突出することがなく、その分だけコネクタ全体の低背化が可能となる。
【００５７】
以上、本発明者によってなされた発明を実施形態に基づき具体的に説明したが、本発明は上述した実施形態に限定されるものではなく、その要旨を逸脱しない範囲で種々変形可能であるというのはいうまでもない。
【００５８】
例えば、上述した実施形態では、電気コネクタに固定される信号伝送媒体として、フレキシブル・プリンテッド・サーキット（ＦＰＣ）用配線板やフレキシブル・フラット・ケーブル（ＦＦＣ）を採用しているが、その他の信号伝送用媒体等を用いた場合に対しても本発明は同様に適用することができる。
【００５９】
さらに、上述した実施形態は、アクチュエータとして回動構造のものを備えた電気コネクタに対して本発明を適用したものであるが、例えばスライド状に往復移動するアクチュエータを備えた電気コネクタに対しても本発明は同様に適用することが可能である。
【００６０】
さらにまた、上述した実施形態にかかる電気コネクタは、同一形状の導電コンタクトを並設したものであるが、異なる形状の導電コンタクトを採用したものに対しても、本発明は同様に適用することが可能である。
【産業上の利用可能性】
【００６１】
本発明は、各種電気機器に使用する多種多様な電気コネクタに対して広く適用することが可能である。
【符号の説明】
【００６２】
１０  電気コネクタ
１１  本体ハウジング（インシュレータ）
１１ａ  媒体挿入口
１１ｂ  部品取付口
１１ｃ  側端部
１２  導電コンタクト
１２ａ  可動ビーム
１２ａ１  端子接触凸部（接点部）
１２ａ２  被作動部
１２ｂ  固定ビーム
１２ｂ１  端子接触凸部（接点部）
１２ｂ２  基板接続端子部
１２ｃ  連結支柱部
１３  アクチュエータ（媒体固定操作手段）
１３ａ  押圧カム部
１３ｂ  本体操作板
１３ｃ  回動中心
１４  抜止め係合カム（抜止め係合手段）
１４ａ  嵌合誘導面
１４ｂ  嵌合誘導突部
１５  金属板状部材
Ｆ  信号伝送媒体（ＦＰＣ又はＦＦＣ）
Ｆ１  抜止め係止孔（抜止め係止手段）
Ｆ２  嵌合延長部材
Ｆ３  接点用導電路
Ｂ  印刷配線基板
【図１】
2010287352.tif 000003
【図２】
2010287352.tif 000004
【図３】
2010287352.tif 000005
【図４】
2010287352.tif 000006
【図５】
2010287352.tif 000007
【図６】
2010287352.tif 000008
【図７】
2010287352.tif 000009
【図８】
2010287352.tif 000010
【図９】
2010287352.tif 000011
【図１０】
2010287352.tif 000012
【図１１】
2010287352.tif 000013
【図１２】
2010287352.tif 000014
【図１３】
2010287352.tif 000015